(57)【特許請求の範囲】
【請求項１】
データカルーセル方式により送信されるデータのデータブロックを受信するデジタル放送受信装置において、
前記データブロックの受信が完了したか否かに係る情報を記憶する記憶部と、
前記記憶部に記憶された情報が、受信が完了していないデータブロックがあることを示している場合に、受信が完了していないデータブロックを受信するタイミングを判定し、該タイミングに基づいて、受信が完了しているデータブロックの受信処理を行うことなく、受信が完了していないデータブロックの受信処理を開始する選択受信制御を行う制御部と、
ユーザが映像の視認または音声の聴取を行っているか否かを判定する視聴判定用センサと、
を備え、
前記視聴判定用センサによりユーザが映像の視認または音声の聴取を行っていないと判定された場合に、前記制御部は、前記選択受信制御を行うことを特徴とするデジタル放送受信装置。
【請求項２】
放送データに映像データまたは音声データが含まれているか否かを判定するデータ判定部をさらに備え、前記制御部は、前記データ判定部により前記放送データに映像データまたは音声データが含まれていないと判定された場合に前記選択受信制御を行うことを特徴とする請求項１に記載のデジタル放送受信装置。
【請求項３】
前記データカルーセル方式により送信されるデータのデータブロックはトランスポートストリームのデータブロックであって、前記制御部は、ある時点が前記データブロックを受信するタイミングではないと判定した場合に、受信が完了していないデータブロックに対応するトランスポートストリーム以外のトランスポートストリームを受信する受信制御を行うことを特徴とする請求項１または２に記載のデジタル放送受信装置。
【請求項４】
データカルーセル方式により送信されるデータのデータブロックを受信するデジタル放送受信方法において、
前記データブロックの受信が完了したか否かに係る情報を記憶する記憶ステップと、
前記記憶ステップにおいて記憶された情報が、受信が完了していないデータブロックがあることを示している場合に、受信が完了していないデータブロックを受信するタイミングを判定し、該タイミングに基づいて、受信が完了しているデータブロックの受信処理を行うことなく、受信が完了していないデータブロックの受信処理を開始する選択受信制御を行う制御ステップと、
ユーザが映像の視認または音声の聴取を行っているか否かを、視聴判定用センサで判定する判定ステップと、
を含み、
前記判定ステップでユーザが映像の視認または音声の聴取を行っていないと判定された場合に、前記制御ステップは、前記選択受信制御を行うことを特徴とするデジタル放送受信方法。
【請求項５】
請求項４に記載のデジタル放送受信方法をコンピュータに実行させることを特徴とするコンピュータプログラム。
【請求項６】
請求項５に記載のコンピュータプログラムを記録したことを特徴とするコンピュータが読み取り可能な記録媒体。
【発明の詳細な説明】
【技術分野】
【０００１】
本発明は、データカルーセル方式により送信されるデータのデータブロックを受信するデジタル放送受信装置、デジタル放送受信方法、デジタル放送受信方法を実現するコンピュータプログラム、および、デジタル放送受信方法を実現するコンピュータプログラムを記録したコンピュータが読み取り可能な記録媒体に関する。
【背景技術】
【０００２】
近年、ＢＭＬ（Broadcast Markup Language）と呼ばれるマークアップ言語を用いたデータ放送など、さまざまな地上デジタル放送のサービスが提供されるようになってきている。地上デジタルラジオ放送で採用されているＩＳＤＢ−Ｔｓｂ（Integrated Services Digital Broadcasting‐Terrestrial for Sound Broadcasting）方式のＶＨＦ（Very High Frequency）−Ｌｏｗ帯を用いたマルチメディア放送では、コンテンツのダウンロード方式としてデータカルーセル方式を用いることが提案されている。
【０００３】
データカルーセル方式とは、データを所定のサイズのデータブロックに分割し、各データブロックを一定周期で繰り返し送信するものである。データカルーセル方式を採用すれば、デジタル放送受信装置があるデータブロックを受信できなかったとしても、一定期間待つことにより再度そのデータブロックが放送局より送信されるので、デジタル放送受信装置は当該データブロックを受信することができるようになる（例えば、特許文献１を参照）。
【先行技術文献】
【特許文献】
【０００４】
【特許文献１】特開２００５−１０２００４号公報
【発明の概要】
【発明が解決しようとする課題】
【０００５】
しかしながら、上述した従来技術では、前回受信できなかったデータブロックが再度送信されるのを待つ間、デジタル放送受信装置は正常に受信できたデータブロックも継続して受信するので、ユーザの利便性やデジタル放送受信装置の電力消費の点で問題があった。
【０００６】
例えば、コンテンツのダウンロードサービスでは、放送局が大容量のデータをダウンロード専用のトランスポートストリーム（Transport Stream, TS）を用いて送信することが考えられる。デジタル放送受信装置は、データブロックの取得に失敗すると、取得に失敗したデータブロックを受信するため、同じ放送局からデータカルーセル方式により送信されるトランスポートストリームのデータブロックを継続的に受信する必要がある。そのため、デジタル放送受信装置は、他のトランスポートストリームの受信を行うことができず、その結果他の放送局の放送を視聴することができないので、ユーザの利便性が損なわれる。
【０００７】
図６は、データカルーセル方式におけるデータの受信タイミングを模式的に示す図である。図６には、ワンセグデータ放送におけるデータの受信タイミングとマルチメディア放送におけるデータの受信タイミングとが示されている。また、図７は、データカルーセル方式におけるデータブロックの構成方法について説明する図である。
【０００８】
図６に示すデータブロック（DII、DDB0、DDB1、DDB2、DDB3、DDB4、DDB5、DDB6、DDB7、DDB8、…、DDBn）は、図７に示すように、１つ以上のＴＳパケットのペイロード部に含まれるデータを連結することにより構成される。DIIは、DownloadInfoIndicationの略であり、ダウンロードに関する制御情報を含むデータブロックであることを意味し、DDBは、Download Data Blockの略で、複数のブロックに分割されたダウンロード対象のデータであることを意味する。
【０００９】
図６に示すように、ワンセグデータ放送の例では、データカルーセル方式により放送局により送信されたデータブロック（DII、DDB0、DDB1、DDB2、DDB3）が受信機により一定周期で受信される。この周期は数秒から１０数秒程度である。ワンセグでは、データ放送のデータブロックは映像データを送信するＴＳパケットと同じＴＳパケットで映像データと多重化されて放送局から送信される。そのため、取得に失敗したデータブロックが放送局により再度送信され、それをデジタル放送受信装置が受信するまでの間、ユーザは映像を見ることができ、また、取得に失敗したデータブロックをデジタル放送受信装置が受信するまでの時間が短いという特徴がある。
【００１０】
一方、マルチメディア放送においては、大容量のコンテンツのダウンロードサービスを専用のセグメントで行うことが提唱されている。この場合、図６に示すように、データブロック（DII、DDB0、DDB1、DDB2、DDB3、DDB4、DDB5、DDB6、DDB7、DDB8、…、DDBn）の数が増え、同じデータブロックが再送信される周期が長くなるので、コンテンツのダウンロードが完了するまでの待ち時間が長くなってしまう。例えば、この周期は数十秒から数分となる。
【００１１】
ワンセグでは、上述のように、データ放送のデータの取得に失敗し、そのデータの再送信を待っている間でも映像を見ることはできる。しかし、ワンセグでは、取得に失敗したデータ放送のデータを受信するため、同じ放送局から送信されるトランスポートストリームを継続的に受信する必要があり、ユーザは他の放送局の映像に切り替えることが難しい。
【００１２】
このことは、大容量のデータのダウンロードサービスを専用のセグメントで行う場合についても同様であり、取得に失敗したデータブロックを受信するため、デジタル放送受信装置は、同じ放送局から送信されるトランスポートストリームを継続的に受信する必要がある。そして、トランスポートストリームがデータのダウンロード専用に用いられる場合は、そのトランスポートストリームに映像データは含まれていないので、ユーザは映像も見ることができなかった。
【００１３】
また、放送局が提供するコンテンツ蓄積サービスを利用してユーザがコンテンツの蓄積予約を行う場合がある。ユーザが映像、音声の視聴を行わず、データのみを必要としている場合には、デジタル放送受信装置は映像データ、音声データを再生する必要はないので、予約された時間に放送局から送信されるトランスポートストリームに映像データや音声データが含まれていても、すでに受信が完了しているデータブロックをデータカルーセル方式により所定の周期で受信する必要はない。すでに受信が完了しているデータブロックを受信することとすれば、デジタル放送受信装置にとって無駄な電力消費となるという問題がある。
【００１４】
本発明は、上記課題に鑑み、ユーザの利便性やデジタル放送受信装置の電力消費を改善するためのデジタル放送受信装置、デジタル放送受信方法、デジタル放送受信方法を実現するコンピュータプログラム、および、デジタル放送受信方法を実現するコンピュータプログラムを記録したコンピュータが読み取り可能な記録媒体を提供することを目的とする。
【課題を解決するための手段】
【００１５】
上記課題を解決する為に、本発明の第１の技術手段は、データカルーセル方式により送信されるデータのデータブロックを受信するデジタル放送受信装置において、前記データブロックの受信が完了したか否かに係る情報を記憶する記憶部と、前記記憶部に記憶された情報が、受信が完了していないデータブロックがあることを示している場合に、受信が完了していないデータブロックを受信するタイミングを判定し、該タイミングに基づいて、受信が完了しているデータブロックの受信処理を行うことなく、受信が完了していないデータブロックの受信処理を開始する選択受信制御を行う制御部と、ユーザが映像の視認または音声の聴取を行っているか否かを判定する視聴判定用センサと、を備え、前記視聴判定用センサによりユーザが映像の視認または音声の聴取を行っていないと判定された場合に、前記制御部は、前記選択受信制御を行うことを特徴としたものである。
【００１６】
本発明の第２の技術手段は、第１の技術手段において、放送データに映像データまたは音声データが含まれているか否かを判定するデータ判定部をさらに備え、前記制御部は、前記データ判定部により前記放送データに映像データまたは音声データが含まれていないと判定された場合に前記選択受信制御を行うことを特徴としたものである。
【００１８】
本発明の第３の技術手段は、第１または第２の技術手段において、前記データカルーセル方式により送信されるデータのデータブロックはトランスポートストリームのデータブロックであって、前記制御部は、ある時点が前記データブロックを受信するタイミングではないと判定した場合に、受信が完了していないデータブロックに対応するトランスポートストリーム以外のトランスポートストリームを受信する受信制御を行うことを特徴としたものである。
【００１９】
本発明の第４の技術手段は、データカルーセル方式により送信されるデータのデータブロックを受信するデジタル放送受信方法において、前記データブロックの受信が完了したか否かに係る情報を記憶する記憶ステップと、前記記憶ステップにおいて記憶された情報が、受信が完了していないデータブロックがあることを示している場合に、受信が完了していないデータブロックを受信するタイミングを判定し、該タイミングに基づいて、受信が完了しているデータブロックの受信処理を行うことなく、受信が完了していないデータブロックの受信処理を開始する選択受信制御を行う制御ステップと、ユーザが映像の視認または音声の聴取を行っているか否かを、視聴判定用センサで判定する判定ステップと、を含み、前記判定ステップでユーザが映像の視認または音声の聴取を行っていないと判定された場合に、前記制御ステップは、前記選択受信制御を行うことを特徴としたものである。
【００２０】
本発明の第５の技術手段は、上記デジタル放送受信方法をコンピュータに実行させることを特徴とするコンピュータプログラムである。
【００２１】
本発明の第６の技術手段は、上記コンピュータプログラムを記録したことを特徴とするコンピュータが読み取り可能な記録媒体である。
【発明の効果】
【００２２】
本発明によれば、データカルーセル方式により一定周期でトランスポートストリームなどのデータのデータブロックが送信されている場合に、受信済みのデータブロックが送信されている間はそのデータブロックの受信処理を行わないことにより他のトランスポートストリームなどのデータを受信することが可能となるため、ユーザの利便性を高めることができる。また、受信済みのデータブロックの受信処理を行っていない間に他のトランスポートストリームなどのデータを受信しない場合は、デジタル放送受信装置の電力消費を少なくすることができる。
【図面の簡単な説明】
【００２３】
【図１】本実施形態に係るデジタル放送受信装置の機能を説明する図である。
【図２】データ受信処理全体について説明するフローチャートである。
【図３】図２に示したデータカルーセル選択受信処理の詳細について説明するフローチャートである。
【図４】ＴＳパケットの受信状況の一例を示す図である。
【図５】放送受信制御部が生成する時刻記憶テーブルの一例を示す図である。
【図６】データカルーセル方式におけるデータの受信タイミングを模式的に示す図である。
【図７】データカルーセル方式におけるデータブロックの構成方法について説明する図である。
【発明を実施するための形態】
【００２４】
以下、本発明の実施形態について図面を参照して詳細に説明する。図１は、本実施形態に係るデジタル放送受信装置１０の機能を説明する図である。デジタル放送受信装置１０は、放送局に設置された送信装置によりデータカルーセル方式を用いて送信されるコンテンツの受信を行うものである。例えば、このデジタル放送受信装置１０は、ＩＳＤＢ−Ｔｓｂ（Integrated Services Digital Broadcasting‐Terrestrial for Sound Broadcasting）方式のＶＨＦ（Very High Frequency）−Ｌｏｗ帯を利用したマルチメディア放送を受信する。
【００２５】
図１に示すように、このデジタル放送受信装置１０は、放送波受信用アンテナ１１、チューナー１２、マルチメディアデコーダ１３、表示制御部１４、音声出力制御部１５、放送受信制御部１６、記憶部１７、タイマ１８、キー入力部１９、表示部２０、携帯電話通信用アンテナ２１、無線部２２、通信機能制御部２３、音声復号部２４、音声符号化部２５、スピーカ２６、マイク２７、視聴判定部２８を備える。
【００２６】
放送受信用アンテナ１１は、ＩＳＤＢ−Ｔｓｂ（Integrated Services Digital Broadcasting‐Terrestrial for Sound Broadcasting）方式などにより送信される放送波を受信する。チューナー１２は、ダウンロード対象となるデータを含むトランスポートストリーム（Transport Stream）が送信されている周波数の放送波を復調し、復調して得たＴＳ（Transport Stream）パケットをマルチメディアデコーダ１３に出力する。ここで、ダウンロード対象となるデータを含むトランスポートストリームはユーザにより選択され、そのトランスポートストリームが送信されている周波数は、放送局から送信されるＮＩＴ（Network Information Table）に基づいてチューナー１２により選択される。
【００２７】
マルチメディアデコーダ１３は、チューナー１２から取得したＴＳパケットをデコードし、ＴＳパケットに映像データあるいは音声データが含まれているか否かを判定する。ＴＳパケットに映像データが含まれていると判定した場合、マルチメディアデコーダ１３は、ＴＳパケットから映像データを取得し、取得した映像データを表示制御部１４に出力する。ＴＳパケットに音声データが含まれていると判定した場合、マルチメディアデコーダ１３は、ＴＳパケットから音声データを取得し、取得した音声データを音声出力制御部１５に出力する。
【００２８】
また、マルチメディアデコーダ１３は、ＴＳパケットに含まれるＰＡＴ（Program Association Table）を放送受信制御部１６に出力する。さらに、マルチメディアデコーダ１３は、ダウンロード対象とするデータのダウンロードサービスに対応するＰＭＴ（Program Map Table）のＰＩＤ（Packet ID）が放送受信制御部１６から通知された場合に、そのＰＩＤに対応するＴＳパケットに含まれるＰＭＴを放送受信制御部１６に送信する。
【００２９】
表示制御部１４は、放送受信制御部１６による制御の下、マルチメディアデコーダ１３により出力された映像データの表示部２０による表示を制御する。音声出力制御部１５は、放送受信制御部１６による制御の下、マルチメディアデコーダ１３により出力された音声データのスピーカ２６による音声出力を制御する。
【００３０】
放送受信制御部１６は、放送受信処理全体を制御する。例えば、放送受信制御部１６は、受信したトランスポートストリームの中からダウンロード対象とするデータを取得する処理を行う。具体的には、放送受信制御部１６は、キー入力部１９がユーザからデータのダウンロード要求を受け付けた場合、あるいは、予めユーザにより予約されたダウンロード開始時刻になった場合に、チューナー１２とマルチメディアデコーダ１３とを起動する。そして、放送受信制御部１６は、ダウンロード対象であるデータを含むトランスポートストリームのＴＳパケットを識別するため、ＴＳパケットに含まれるＰＡＴを放送受信制御部１６に出力するようＴＳパケットの受信開始時にマルチメディアデコーダ１３に対して指示をする。
【００３１】
その後、放送受信制御部１６は、マルチメディアデコーダ１３から出力されたＰＡＴを解析することにより、データカルーセル方式によるデータのダウンロードサービスに対応するＰＭＴのＰＩＤを特定する。そして、放送受信制御部１６は、そのＰＩＤに対応するＰＭＴを送信するようマルチメディアデコーダ１３に対して指示をする。放送受信制御部１６は、このＰＭＴを用いてデータカルーセル方式により送信されたダウンロード対象となるデータを含んだＴＳパケットを取得する。
【００３２】
また、放送受信制御部１６は、ダウンロード対象とするデータのデータブロックの取得に失敗した場合に、現在時刻の情報、データブロックを受信した受信時刻の情報、および、データブロックの取得が正常に完了したか否かを示す情報に基づいて、正常取得に失敗したデータブロックを受信するための受信タイミングを算出する。そして、放送受信制御部１６は、その受信タイミングに基づいて、すでに受信したデータブロックの受信処理を行うことなく、正常取得に失敗したデータブロックの受信を開始する選択受信制御を行う。受信タイミングの具体的な算出方法については後に詳しく説明する。
【００３３】
記憶部１７は、メモリやハードディスク装置などの記憶手段である。この記憶部１７は、放送受信制御部１６などの各機能部により用いられ、時刻情報やダウンロードしたデータなど、種々の情報を記憶する。特に、記憶部１７は、データカルーセル方式により送信されるデータブロック名の情報、データブロックの最初および最後のＴＳパケットを受信した受信時刻の情報、および、データブロックの取得が正常に完了したか否かの情報などを記憶する。これらの情報については後に詳しく説明する。
【００３４】
タイマ１８は、時刻を計測する。キー入力部１９は、ユーザによるキー入力を受け付ける。表示部２０は、液晶ディスプレイなどの表示手段であり、映像やユーザに提供する情報などの表示を行う。
【００３５】
携帯電話通信用アンテナ２１は、デジタル放送受信装置１０が電話機能や電子メール機能を有する携帯電話機として機能する場合の通信用電波の送受信を行う。無線部２２は、デジタル放送受信装置１０が携帯電話機として機能する場合の通信用電波の変調、復調を行う。
【００３６】
通信機能制御部２３は、電話機能や電子メール機能などを含む携帯電話の通信機能を制御する。例えば、通信機能制御部２３は、無線部２２により復調された符号化音声信号を音声復号部２４に出力し、また、音声符号化部２５により符号化された音声信号を無線部２２に出力するなどの制御を行う。
【００３７】
音声復号部２４は、符号化された音声信号を復号し、音声信号をスピーカ２６に出力する。音声符号化部２５は、通話時にマイク２７により入力された音声信号を符号化する。スピーカ２６は、通話時の音声信号を出力する。また、スピーカ２６は、マルチメディアデコーダ１３により出力された音声信号を出力する処理を行う。マイク２７は、通話時にユーザの音声を音声信号に変換する。
【００３８】
視聴判定部２８は、ユーザが映像の視認、音声の聴取を行っているか否かの判定を行う。具体的には、視聴判定部２８は、内蔵する人感センサを用いて人がいるか否かを検知し、人がいると検知した場合にユーザが映像の視認あるいは音声の聴取を行っていると判定する。
【００３９】
また、視聴判定部２８は、内蔵する加速度センサなどを用いてデジタル放送受信装置１０の移動を検出し、デジタル放送受信装置１０が一定時間静止した場合にユーザが映像の視認あるいは音声の聴取を行っていると判定することとしてもよい。さらに、映像の視認や音声の聴取時にデジタル放送受信装置１０の形状が変化する場合は、視聴判定部２８はその変化を検出することにより、ユーザが映像の視認あるいは音声の聴取を行っていると判定することとしてもよい。例えば、デジタル放送受信装置１０が折り畳み式であって、ボディの折り畳み時に表示部２０の表示面が隠れる場合、デジタル放送受信装置１０のボディが折り畳まれていないことを検出することにより、ユーザが映像の視認あるいは音声の聴取を行っていると判定することとしてもよい。
【００４０】
次に、データカルーセル方式により送信されるデータの受信処理について説明する。図２は、データ受信処理全体について説明するフローチャートである。図２に示すように、まず、デジタル放送受信装置１０のチューナー１２は、放送局がダウンロードの対象となるデータを含むトランスポートストリームを送信している周波数で放送波の受信を開始する（ステップＳ１０１）。ダウンロード対象となるデータを含むトランスポートストリームはユーザにより選択され、そのトランスポートストリームが送信されている周波数は、放送局から送信されるＮＩＴに基づいてチューナー１２により選択される。
【００４１】
そして、チューナー１２は、放送波を復調し、その結果得られたＴＳパケットをマルチメディアデコーダ１３に出力する（ステップＳ１０２）。その後、マルチメディアデコーダ１３は、ＴＳパケットに含まれるＰＡＴを放送受信制御部１６に出力し、放送受信制御部１６はＰＡＴを取得する（ステップＳ１０３）。
【００４２】
その後、放送受信制御部１６は、ＰＡＴを解析し、データカルーセル方式によるダウンロード対象データのダウンロードサービスに対応するＰＭＴのＰＩＤを特定する（ステップＳ１０４）。そして、放送受信制御部１６は、マルチメディアデコーダ１３に対して、そのＰＩＤに対応するＰＭＴを放送受信制御部１６に送信するよう指示する。この指示を受け付けたマルチメディアデコーダ１３は、上記ＰＩＤに対応するＰＭＴを放送受信制御部１６に送信する。
【００４３】
放送受信制御部１６は、そのＰＭＴを用いてダウンロード対象となるデータを送信するＴＳパケットのＰＩＤを特定し、そのＰＩＤに対応するＴＳパケットを放送受信制御部１６に出力するようマルチメディアデコーダ１３に対して指示する。これにより、放送受信制御部１６は、ＴＳパケットの中からダウンロード対象とするデータを含んだＴＳパケットを抽出するフィルタリングを行う（ステップＳ１０５）。
【００４４】
続いて、放送受信制御部１６は、ダウンロード対象とするデータを含んだＴＳパケットに映像データあるいは音声データが含まれるか否かを調べる（ステップＳ１０６）。ＴＳパケットに映像データあるいは音声データが含まれるか否かは、ＰＭＴに含まれるＥＳ（Elementary Stream）種別の情報を調べることにより検出することができる。ダウンロード対象とするデータのＴＳパケットに映像データあるいは音声データが含まれる場合（ステップＳ１０６においてＹＥＳの場合）、視聴判定部２８は、ユーザが映像の視認あるいは音声の聴取を行うか否かを判定する（ステップＳ１０７）。
【００４５】
ユーザが映像の視認あるいは音声の聴取を行うと判定された場合（ステップＳ１０７においてＹＥＳの場合）、放送受信制御部１６は、データカルーセル方式により送信されたダウンロード対象のデータを受信し、受信したデータを記憶部１７に記憶する（ステップＳ１０８）。ダウンロード対象のデータの受信が終了したら、チューナー１２は放送波の受信処理を終了する（ステップＳ１０９）。
【００４６】
ダウンロード対象とするデータを含むＴＳパケットに映像データあるいは音声データが含まれない場合（ステップＳ１０６においてＮＯの場合）、あるいは、ユーザが映像の視認あるいは音声の聴取を行わないと判定された場合（ステップＳ１０７においてＮＯの場合）、放送受信制御部１６は、データカルーセル方式により送信されたダウンロード対象データの選択受信処理を行い、受信したデータを記憶部１７に記憶する（ステップＳ１１０）。
【００４７】
この選択受信処理では、放送受信制御部１６は、正常取得に失敗したデータブロックを受信するための受信タイミングを算出し、その受信タイミングで、すでに正常取得したデータブロックの受信処理を行うことなく、正常取得に失敗したデータブロックの受信処理を開始する制御を行う。この選択受信処理については、図３を用いて詳しく説明する。ダウンロード対象のデータの受信が終了したら、チューナー１２は放送波の受信処理を終了する（ステップＳ１０９）。
【００４８】
このように、放送受信制御部１６が、放送データに映像データまたは音声データが含まれているか否かを判定し、放送データに映像データまたは音声データが含まれていないと判定した場合に選択受信制御を行うこととしたので、すでに正常取得したデータブロックの受信処理を行わないことによりデジタル放送受信装置１０の電力消費を低減することができる。
【００４９】
また、視聴判定部２８が、ユーザが映像の視認または音声の聴取を行っているか否かを判定し、ユーザが映像の視認または音声の聴取を行っていないと判定された場合に、放送受信制御部１６が選択受信制御を行うこととしたので、すでに正常取得したデータブロックの受信処理を行わないことによりデジタル放送受信装置１０の電力消費を低減することができる。
【００５０】
次に、図２に示したデータカルーセル選択受信処理について説明する。図３は、図２に示したデータカルーセル選択受信処理の詳細について説明するフローチャートである。図３に示すように、まず、デジタル放送受信装置１０の放送受信制御部１６は、データカルーセル方式により送信されたダウンロード対象のデータを含むＴＳパケットをマルチメディアデコーダ１３から受信する（ステップＳ２０１）。
【００５１】
そして、放送受信制御部１６は、ＴＳパケットの受信時に受信エラーがあったか否かを判定する（ステップＳ２０２）。受信エラーがあった場合（ステップＳ２０２においてＹＥＳの場合）、放送受信制御部１６は、次のＴＳパケットを受信する（ステップＳ２０１）。放送受信制御部１６は、受信エラーがあったか否かをＴＳパケットのヘッダ部にあるエラーフラグを調べることにより判定することができる。受信エラーがなかった場合（ステップＳ２０２においてＮＯの場合）、放送受信制御部１６は、受信したＴＳパケットが、ダウンロード対象とするデータのデータブロックの先頭部分を含む最初のＴＳパケットか否かを判定する（ステップＳ２０３）。
【００５２】
ＴＳパケットがデータブロックの先頭部分を含む最初のＴＳパケットである場合（ステップＳ２０３においてＹＥＳの場合）、放送受信制御部１６は、そのＴＳパケットの受信時刻の情報をタイマ１８から取得し、取得した時刻を記憶部１７に記憶する（ステップＳ２０４）。ＴＳパケットがデータブロックの先頭部分を含む最初のＴＳパケットでない場合（ステップＳ２０３においてＮＯの場合）、あるいは、最初のＴＳパケットの受信時刻の情報を記憶部１７に記憶した場合（ステップＳ２０４）、放送受信制御部１６は、ＴＳパケットに受信エラーが発生することなくデータブロックの取得が正常に完了したか否かを調べる（ステップＳ２０５）。
【００５３】
データブロックの取得が正常に完了していない場合（ステップＳ２０５においてＮＯの場合）、放送受信制御部１６は、正常に取得ができなかったデータブロックが、過去に受信したことのある再受信したデータブロックか否かを判定する（ステップＳ２０８）。データブロックが再受信したデータブロックでない場合（ステップＳ２０８においてＮＯの場合）、放送受信制御部１６は、次のＴＳパケットを受信する（ステップＳ２０１）。データブロックが再受信したデータブロックである場合（ステップＳ２０８においてＹＥＳの場合）、放送受信制御部１６は、その後のデータブロックの受信を継続して行うか否かをさらに判定する（ステップＳ２０９）。
【００５４】
データブロックの取得が正常に完了した場合（ステップＳ２０５においてＹＥＳの場合）、放送受信制御部１６は、データブロックの最後のＴＳパケットの受信時刻の情報をタイマ１８から取得し、取得した時刻を記憶部１７に記憶する（ステップＳ２０６）。
【００５５】
その後、放送受信制御部１６は、ダウンロード対象とするデータのすべてのデータブロックのダウンロードが、ＴＳパケットに受信エラーが発生することなく正常に完了したか否かを判定する（ステップＳ２０７）。すべてのデータブロックのダウンロードが正常に完了した場合（ステップＳ２０７においてＹＥＳの場合）、データカルーセル選択受信処理を終了する。すべてのデータブロックのダウンロードが正常に完了していない場合（ステップＳ２０７においてＮＯの場合）、放送受信制御部１６は、正常取得が完了したデータブロック（ステップＳ２０５においてＹＥＳの場合に対応するデータブロック）が、過去に受信したことのある再受信したデータブロックか否かを判定する（ステップＳ２０８）。
【００５６】
正常取得が完了したデータブロックが、再受信したデータブロックでない場合（ステップＳ２０８においてＮＯの場合）、放送受信制御部１６は、次のＴＳパケットを受信する（ステップＳ２０１）。正常取得が完了したデータブロックが、再受信したデータブロックである場合（ステップＳ２０８においてＹＥＳの場合）、放送受信制御部１６は、データブロックの送信が一巡したと判定し、その後のデータブロックの受信を継続して行うか否かをさらに判定する（ステップＳ２０９）。また、放送受信制御部１６は、取得が正常に完了しなかったデータブロック（ステップＳ２０５においてＮＯの場合に対応するデータブロック）が、過去に受信したことのある再受信したデータブロックであった場合（ステップＳ２０８においてＹＥＳの場合）にも、その後のデータブロックの受信を継続して行うか否かを判定する処理を行う（ステップＳ２０９）。
【００５７】
具体的には、放送受信制御部１６は、現在の時刻、データブロックの先頭部分を構成するデータを含んだ最初のＴＳパケットの受信時刻、データブロックの最後の部分を構成するデータを含んだ最後のＴＳパケットの受信時刻、および、データブロックの取得が正常に完了したか否かを示す情報などを用いて受信を再開する時刻を算出する。そして、現在の時刻が受信を再開する時刻に達していない場合、放送受信制御部１６は、データブロックの継続受信を行わないと判定する。現在の時刻が受信を再開する時刻に達している場合、放送受信制御部１６は、データブロックの継続受信を行うと判定する。受信を再開する時刻の算出については図４、５を用いて後に詳しく説明する。
【００５８】
データブロックの継続受信を行うとの判定がなされた場合（ステップＳ２０９においてＹＥＳの場合）、放送受信制御部１６は、ダウンロード対象のデータを含むトランスポートストリームを現在受信しているか否かを判定する（ステップＳ２１０）。ダウンロード対象のデータを含むトランスポートストリームを受信している場合（ステップＳ２１０においてＹＥＳの場合）、そのままＴＳパケットの受信を継続する（ステップＳ２０１）。
【００５９】
ダウンロード対象のデータを含むトランスポートストリームを受信していない場合（ステップＳ２１０においてＮＯの場合）、放送受信制御部１６は、チューナー１２に対してダウンロードの対象となるデータを含むトランスポートストリームが送信されている周波数の放送波を復調するよう指示し、そのトランスポートストリームの受信に切り替える（ステップＳ２１１）。その後、放送受信制御部１６は、ＴＳパケットの受信を継続する（ステップＳ２０１）。
【００６０】
取得が完了したデータブロック以降のデータブロックの受信を継続して行わないとの判定がなされた場合（ステップＳ２０９においてＮＯの場合）、放送受信制御部１６は、ＴＳパケットの受信処理を中断する（ステップＳ２１２）。そして、放送受信制御部１６は、ダウンロード対象となるデータを含むトランスポートストリームの受信を他のトランスポートストリームの受信に切り替える要求をユーザから受け付けたか否かを判定する（ステップＳ２１３）。なお、他のトランスポートストリームの受信に切り替える要求をユーザから受け付ける際には、放送受信制御部１６は、現在時刻がダウンロードの対象となるデータを含むトランスポートストリームの受信再開時刻に達した場合に、そのトランスポートストリームの受信に受信対象が切り替えられる旨の通知を表示部２０に出力し、ユーザにその旨通知する。
【００６１】
他のトランスポートストリームに切り替える要求をユーザから受け付けた場合（ステップＳ２１３においてＹＥＳの場合）、放送受信制御部１６は、チューナー１２に対してユーザから受け付けた他のトランスポートストリームが送信されている周波数の放送波を復調するよう指示し、そのトランスポートストリームの受信に切り替える（ステップＳ２１４）。
【００６２】
このように、放送受信制御部１６が、ダウンロード対象のデータを含むトランスポートストリームの受信処理中断中にトランスポートストリームを他のトランスポートストリームに切り替える要求をユーザから受け付けた場合、トランスポートストリームを他のトランスポートストリームに切り替える受信制御を行うこととしたので、データカルーセル方式によりデータブロックが再送される周期が長く、ダウンロード対象のデータを含むトランスポートストリームの受信中断期間が長い場合に、ユーザは別のトランスポートストリームにより送信される映像、音声を視聴できるようになり、ユーザの利便性を高めることができる。
【００６３】
また、切り替えた他のトランスポートストリームにおいても本発明の選択受信処理を適用してデータをダウンロードすることも可能である。これにより、複数のトランスポートストリームにおいてユーザの利便性の向上、デジタル放送受信装置１０の省電力化を図りつつ、データの同時ダウンロードが可能になる。
【００６４】
他のトランスポートストリームの受信に切り替えた場合（ステップＳ２１４）、あるいは、他のトランスポートストリームに切り替える要求をユーザから受け付けていない場合（ステップＳ２１３においてＮＯの場合）は、放送受信制御部１６は、ＴＳパケットの受信再開時刻に達したか否かを判定する（ステップＳ２１５）。この受信再開時刻については図４、５を用いて後に詳しく説明する。
【００６５】
ＴＳパケットの受信再開時刻に達していない場合（ステップＳ２１５においてＮＯの場合）、放送受信制御部１６は、他のトランスポートストリームの受信に切り替える要求をユーザから受け付けたか否かを判定する処理を繰り返す（ステップＳ２１３）。ＴＳパケットの受信再開時刻に達した場合（ステップＳ２１５においてＹＥＳの場合）、放送受信制御部１６は、ダウンロード対象のデータを含むトランスポートストリームを現在受信しているか否かを判定し（ステップＳ２１０）、その後の処理を継続する。
【００６６】
ここで、トランスポートストリームの受信を再開する時刻の算出方法について例を挙げて説明する。図４は、ＴＳパケットの受信状況の一例を示す図である。図４には、カルーセルデータ送信サイクル、ＴＳパケット番号、ＴＳパケット受信時刻、受信エラーの有無、データブロック名、パケット受信時に行われる処理について示されている。ここで、時刻「aa:bb:c」という表記は、aa分bb秒cという時刻を表す。
【００６７】
また、図５は、放送受信制御部１６が生成する時刻記憶テーブル３０の一例を示す図である。図５に示す時刻記憶テーブル３０には、データブロック名、データブロックの最初のＴＳパケットの受信時刻、データブロックの最後のＴＳパケットの受信時刻、および、データブロックの取得状態の情報が含まれる。この時刻記憶テーブル３０は、デジタル放送受信装置１０の記憶部１７に記憶される。
【００６８】
図４および図５に示されるように、カルーセルデータの送信サイクル１順目のデータブロックDIIについては、最初のＴＳパケットが時刻「02:00:0」にデジタル放送受信装置１０により受信され、最後のＴＳパケットが時刻「02:00:4」に受信され、データブロックDIIを構成するデータを含む各ＴＳパケットに受信エラーは無く、データブロックDIIの取得は正常に完了している。また、データブロックDDB1、DDB2についても同様にデータブロックの取得は正常に完了している。
【００６９】
一方、データブロックDDB0については、最初のＴＳパケットについては受信エラーがなく受信できているため、受信時刻「02:00:5」が時刻記憶テーブル３０に記憶されている（図３のステップＳ２０４の処理に対応）。しかし、２〜４番目に受信したＴＳパケット（図４のＮｏ．７〜９に対応するＴＳパケット）に受信エラーが発生したため、最後のＴＳパケットの受信時刻が記憶されておらず（図３のステップＳ２０５においてＮＯであるため、ステップＳ２０６の処理が実行されていない）、データブロックの取得状態も未取得となっている。
【００７０】
データブロックDDB3については、最初のＴＳパケットから３番目に受信したＴＳパケットまで（図４のＮｏ．２７〜２９に対応するＴＳパケット）に受信エラーが発生したため、最初のＴＳパケットの受信時刻、最後のＴＳパケットの受信時刻が記憶されておらず（図３のステップＳ２０３においてＮＯであるためステップＳ２０４の処理が実行されておらず、また、ステップＳ２０５においてＮＯであるためステップＳ２０６の処理が実行されていない）、データブロックの取得状態も未取得となっている。
【００７１】
放送受信制御部１６は、未取得のデータブロックDDB0およびDDB3がある場合、データカルーセル方式により未取得のデータブロックDDB0およびDDB3が再送信される時間帯（図４のＮｏ．３９〜４５、Ｎｏ．６０〜６６、Ｎｏ．７２〜７８に対応）にＴＳパケットの受信を行い、すでに取得したデータブロックDDB1、DDB2が再送信される時間帯（図４のＮｏ．４６〜５９、Ｎｏ．６７〜７１）ではＴＳパケットの受信を中断する処理を行う。
【００７２】
放送受信制御部１６は、受信再開時刻Trを、例えば以下の式を用いて算出する。すなわち、放送受信制御部１６は、直前に受信したデータブロック（DII、DDBi（i＝0〜n））と受信再開時刻Trの算出対象となる正常取得が完了していないデータブロック（DDBi）との間にデータブロックDIIがある場合は、
（式１）Tr＝Tp＋（Td_DII＋Ti）＋（Td_DDB＋Ti）×n_DDB＋Tc−Ts
により受信再開時刻Trを算出する。また、放送受信制御部１６は、直前に受信したデータブロック（DII、DDBi（iは0〜n））と受信再開時刻Trの算出対象となる正常取得が完了していないデータブロック（DDBi）との間にデータブロックDIIがない場合は、
（式２）Tr＝Tp＋（Td_DDB＋Ti）×n_DDB−Ts
により受信再開時刻Trを算出する。
【００７３】
ここで、Tpは現在時刻、Td_DIIはデータブロックDIIの最後のＴＳパケットの受信時刻とデータブロックDIIの最初のＴＳパケットの受信時刻との差、Td_DDBはデータブロックDDBi（i＝0〜n）の最後のＴＳパケットの受信時刻とデータブロックDDBiの最初のＴＳパケットの受信時刻との差、TiはＴＳパケットの受信間隔（ただし、カルーセルデータ送信サイクルがｊ順目（j＝1〜m）の最後のＴＳパケットと（ｊ＋１）順目の最初のＴＳパケットの間の受信間隔以外の受信間隔）、n_DDBは直前に受信したデータブロックと受信再開時刻Trの算出対象となる正常取得が完了していないデータブロックとの間にあるデータブロックDDBiの数、Tcはカルーセルデータ送信サイクルがｊ順目の最後のＴＳパケットの受信が完了してから（ｊ＋１）順目の最初のＴＳパケットの受信を開始するまでのインターバル、Tsは受信中断中に非動作状態にあったチューナー１２やマルチメディアデコーダ１３などの機能部が動作状態となるまでに必要な時間である。
【００７４】
なお、Tp、Tiの情報はタイマ１８から得られ、Td_DII、Td_DDB、n_DDBの情報は記憶部１７に記憶された時刻記憶テーブル３０から得られ、Tcの情報はｊ順目の最後のＴＳパケットの受信時刻、（ｊ＋１）順目の最初のＴＳパケットの受信時刻、および、ＴＳパケットの受信間隔Tiの情報から得られる。
【００７５】
例えば、図４において２順目のデータブロックDIIを構成する最後のＴＳパケット（図４のＮｏ．３８に対応するＴＳパケット）の受信までが完了した場合について考える。１順目では、データブロックDDB0およびDDB3に受信エラーが発生し、それらのデータブロックの取得が正常に完了していない。よって、データブロックDDB0およびDDB3を構成するデータを含むＴＳパケットが放送局により再送信されるタイミングでＴＳパケットを受信するようにし、それ以外のＴＳパケットが再送信される間はＴＳパケットの受信を中断するようにする。
【００７６】
この場合、放送受信制御部１６は、２順目のデータブロックDIIを構成するデータを含む最後のＴＳパケット（図４のＮｏ．３８に対応するＴＳパケット）を受信した時点でデータブロックDIIの取得が完了し、これにより１順目ですでに受信したデータブロックDIIを再度受信したと判定するので（図３のステップＳ２０８においてＹＥＳの場合）、その後のデータブロックの受信を継続して行うか否かを判定する処理をさらに行う（図３のステップＳ２０９）。
【００７７】
この判定は受信再開時刻Trを算出することにより行われるが、直前に取得が完了したデータブロックDIIと受信再開時刻Trの算出対象となる正常取得が完了していないデータブロックDDB0との間にデータブロックDIIはないので、放送受信制御部１６は、式（２）を用いて受信再開時刻Trを算出する。
【００７８】
この場合、Tpは「02:04:4」（１２４．４秒）、Td_DDBは１順目のデータブロックDDB2の最後のＴＳパケットの受信時刻「02:02:5」と最初のＴＳパケットの受信時刻「02:01:9」との差で０．６秒（図５を参照。なお、正常取得されている他のデータブロック、例えばデータブロックDDB1の最後のＴＳパケットの受信時刻と最初のＴＳパケットの受信時刻との差を用いることとしてもよい。）、Tiは０．１秒、n_DDBは直前に取得が完了したデータブロックDIIと受信再開時刻Trの算出対象となるデータブロックDDB0との間にデータブロックがないので０となる。なお、ここではTsは０とする。
【００７９】
これらを式（２）に代入すると、
Tr＝124.4＋（0.6＋0.1）×0−0＝124.4（秒）（時刻「02:04:4」）
となる。現在時刻は「02:04:4」であり、この受信再開時刻「02:04:4」と一致するので、放送受信制御部１６は、その後のデータブロックDDB0の受信を継続して行う。
【００８０】
同様に、放送受信制御部１６は、正常取得が完了していないデータブロックDDB3のＴＳパケットの受信再開時刻Trを式（２）を用いて算出する。この場合、Tpは「02:04:4」（１２４．４秒）、Td_DDBは１順目のデータブロックDDB2の最後のＴＳパケットの受信時刻「02:02:5」と最初のＴＳパケットの受信時刻「02:01:9」との差で０．６秒（図５を参照。なお、正常取得されている他のデータブロックの最後のＴＳパケットの受信時刻と最初のＴＳパケットの受信時刻との差を用いることとしてもよい。）、Tiは０．１秒、n_DDBは直前に取得が完了したデータブロックDIIと受信再開時刻Trの算出対象となるデータブロックDDB3との間にデータブロックが３つ（データブロックDDB0、DDB1、DDB2）あるので３となる。なお、ここではTsは０とする。
【００８１】
これらを式（２）に代入すると、
Tr＝124.4＋（0.6＋0.1）×3−0＝126.5（秒）（時刻「02:06:5」）
となる。現在時刻は「02:04:4」であり、この受信再開時刻「02:06:5」に達していないため、放送受信制御部１６は、現在時刻「02:04:4」にＴＳパケットの受信を中断し、時刻「02:06:5」にその受信を再開する。ここで、データブロックDDB0の受信開始時刻Trの算出の際には、放送受信制御部１６は、現在時刻「02:04:4」においてその後のデータブロックDDB0の受信を継続して行うと判定しており、現在時刻「02:04:4」にＴＳパケットの受信を中断するという上記判定とは異なるものとなっている。この場合、放送受信制御部１６は、データブロックの受信を行うという判定を優先させる。
【００８２】
図４の例では、２順目においてもデータブロックDDB0のＴＳパケット（図４のＮｏ．４３に対応するＴＳパケット）に受信エラーが発生し、データブロックDDB0の取得が正常に完了していない。この場合、放送受信制御部１６は、正常取得されていない他のデータブロックDDB3を構成するデータを含むＴＳパケットを受信する場合を除き、３順目でデータブロックDDB0を構成するデータを含むＴＳパケットが再送信される時刻までＴＳパケットの受信を中断する。
【００８３】
具体的には、放送受信制御部１６は、２順目でデータブロックDDB0の最後のＴＳパケット（図４のＮｏ．４５に対応するＴＳパケット）を受信したとき、データブロックDDB0の取得が正常に完了せず（図３のステップＳ２０５においてＮＯの場合）、データブロックDDB0は１順目で受信したことのある再受信したデータブロックであるので（図３のステップＳ２０８においてＹＥＳの場合）、その後のデータブロックの受信を継続して行うか否かを判定する処理をさらに行う（図３のステップＳ２０９）。
【００８４】
その際、放送受信制御部１６は、未だに取得が正常に完了していないデータブロックDDB0のＴＳパケットを受信するため、データブロックDDB0のＴＳパケットの受信再開時刻Trを算出する。この場合、直前に受信したデータブロックDDB0と受信再開時刻Trの算出対象となる３順目のデータブロックDDB0との間にデータブロックDIIがあるので、放送受信制御部１６は、式（１）を用いて受信再開時刻Trを算出する。
【００８５】
ここで、Tpは「02:05:1」（１２５．１秒）、Td_DIIは２順目のデータブロックDIIの最後のＴＳパケットの受信時刻「02:04:4」と最初のＴＳパケットの受信時刻「02:04:0」との差で０．４秒（他のカルーセルデータ送信サイクルにおける取得済みデータブロックDIIの最後のＴＳパケットの受信時刻と最初のＴＳパケットの受信時刻との差を記憶しておき、それを用いることとしてもよい。）、Tiは０．１秒、Td_DDBは１順目のデータブロックDDB2の最後のＴＳパケットの受信時刻「02:02:5」と最初のＴＳパケットの受信時刻「02:01:9」との差で０．６秒（正常取得されている他のデータブロック、例えばデータブロックDDB1の最後のＴＳパケットの受信時刻と最初のＴＳパケットの受信時刻との差を用いることとしてもよい。）、n_DDBは直前に受信した２順目のデータブロックDDB0と受信再開時刻Trの算出対象となる３順目のデータブロックDDB0との間にデータブロックが３つ（データブロックDDB1、DDB2、DDB3）あるので３、Tcは１順目の最後のＴＳパケットの受信が完了してから２順目の最初のＴＳパケットの受信を開始するまでのインターバルとなる。すなわち、Tcは、２順目の最初のＴＳパケットの受信時刻「02:04:0」と、１順目の最後のＴＳパケットの受信時刻「02:03:2」との間の差からＴＳパケットの受信間隔である０．１秒を差し引いて０．７秒となる。なお、ここではTsは０とする。
【００８６】
これらを式（１）に代入すると、
Tr＝125.1＋（0.4＋0.1）＋（0.6＋0.1）×3＋0.7−0＝128.4（秒）（時刻「02:08:4」）
となる。現在時刻は「02:05:1」であり、この受信再開時刻「02:08:4」に達していないため、放送受信制御部１６は、現在時刻「02:05:1」にＴＳパケットの受信を中断し、時刻「02:08:4」に受信を再開する。なお、この間、放送受信制御部１６は、データブロックDDB3を構成するデータを含むＴＳパケットの受信に対して計算された受信再開時刻Trに基づいて、そのＴＳパケットの受信処理を行う。
【００８７】
以上受信再開時刻Trの算出方法について説明したが、その算出方法は上述したものに限られず、他の方法であってもよい。例えば、データブロックDII、DDBi（i＝1〜n）を構成するデータを含んだＴＳパケットが送信されるタイミングの情報を別途予め取得できる場合には、その情報に基づいてすでに受信したデータブロックについてはＴＳパケットの受信処理を行わず、取得に失敗したデータブロックについてはＴＳパケットが送信されるタイミングでＴＳパケットを受信することとしてもよい。
【００８８】
なお、これまでデジタル放送受信装置およびデジタル放送受信方法の実施形態を中心に説明を行ったが、本発明はこれらの実施形態に限定されるものではなく、デジタル放送受信装置の機能を実現させるためのコンピュータプログラムとしての形態、あるいは、当該コンピュータプログラムが記録されたコンピュータ読み取り可能な記録媒体の形態として本発明を実施してもよい。
【００８９】
ここで、記録媒体としては、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体であってもよい。
【００９０】
これら記録媒体に上述した本発明のデジタル放送受信装置の機能を実現させるためのコンピュータプログラム、または、デジタル放送受信方法をコンピュータに実行させるためのコンピュータプログラムを記録して流通させることにより、コストの低廉化、及び可搬性や汎用性を向上させることができる。
【００９１】
そして、コンピュータに上記記録媒体を装着し、コンピュータにより記録媒体に記録されたコンピュータプログラムを読み出してメモリに格納し、コンピュータが備えるプロセッサ（CPU、Central Processing Unit）が当該コンピュータプログラムをメモリから読み出して実行することにより、本発明に係るデジタル放送受信装置の機能を実現し、デジタル放送受信方法を実行することができる。
【符号の説明】
【００９２】
１０…デジタル放送受信装置、１１…放送波受信用アンテナ、１２…チューナー、１３…マルチメディアデコーダ、１４…表示制御部、１５…音声出力制御部、１６…放送受信制御部、１７…記憶部、１８…タイマ、１９…キー入力部、２０…表示部、２１…携帯電話通信用アンテナ、２２…無線部、２３…通信機能制御部、２４…音声復号部、２５…音声符号化部、２６…スピーカ、２７…マイク、２８…視聴判定部、３０…時刻記憶テーブル。
【図１】
0005570896.tif 000002
【図２】
0005570896.tif 000003
【図３】
0005570896.tif 000004
【図４】
0005570896.tif 000005
【図５】
0005570896.tif 000006
【図６】
0005570896.tif 000007
【図７】
0005570896.tif 000008